(57)【要約】【課題】取扱性の良いテレビ受信用アンテナ装置を提供する。【解決手段】アーム上に放射器と反射器及び導波器等の素子を配設してなテレビ受信用アンテナ装置であって，当該アンテナ装置の放射器は，ＶＵ共用型の折返しダイポール１０で構成されており，当該放射器の給電部１２には，前記ＶＵ共用型放射器からの受信出力と，他のアンテナ装置からの受信信号を混合できるよう，当該他のアンテナからの受信信号を入力するための混合入力端子３２を備えた混合器２１を内蔵させ，前記混合器は，テレビ受信用アンテナ装置の受信帯域である９０〜２２２ＭＨｚ及び４７０〜５４２ＭＨｚと，前記他のアンテナ装置の受信帯域である５２４〜７７０ＭＨｚとを混合するように構成されており，前記テレビ受信用アンテナ装置と他のアンテナ装置とは伝送ケーブルを介して接続されると共に，同一支持体でもって支持される。【選択図】  図２
2005130117.tif 000002
【特許請求の範囲】
【請求項１】
テレビ受信用アンテナ装置において，
当該アンテナ装置は，アーム上に放射器と反射器及び導波器等の素子を配設してなり，
前記アンテナ装置の放射器は，ＶＵ共用型の放射器で構成されており，当該放射器の給電部には，前記ＶＵ共用型放射器からの受信出力と，他のアンテナ装置からの受信信号を混合できるよう，当該他のアンテナからの受信信号を入力するための入力端子を備えた混合器を内蔵させたことを特徴としたテレビ受信用アンテナ装置。
【請求項２】
前記混合器の入力端子には他のアンテナ装置が伝送ケーブルを介して配設され，前記テレビ受信用アンテナ装置と他のアンテナ装置とが同一支持体でもって支持されたことを特徴としたテレビ受信用アンテナ装置。
【請求項３】
前記ＶＵ共用型放射器が折返しダイポールで構成されたことを特徴とした請求項１又は請求項２に記載のテレビ受信用アンテナ装置。
【請求項４】
前記混合器は，テレビ受信用アンテナ装置の受信帯域である９０〜２２２ＭＨｚ及び４７０〜５４２ＭＨｚと，前記他のアンテナ装置の受信帯域である５２４〜７７０ＭＨｚとを混合するように構成されていることを特徴とした請求項１乃至請求項３の何れかに記載のテレビ受信用アンテナ装置。
【請求項５】
前記混合器は，前記テレビ受信用アンテナ装置からの受信信号を入力する接続端子と低域通過フィルターと混合回路からなる第１の伝送経路と，
前記他のアンテナ装置からの受信信号を入力する混合入力端子と高域通過フィルターと混合回路からなる第２の伝送線路と，
前記第１及び第２の伝送線路を混合した信号を出力する出力端子とからなり，これらの回路はプリント基板に配設されてなる請求項１乃至請求項４に記載のテレビ受信用アンテナ装置。
【発明の詳細な説明】
【技術分野】
【０００１】
本発明は，主にＶＨＦ帯域及びＵＨＦ帯域を受信可能な広帯域特性を有するＶＵ共用型のアンテナ装置と，当該アンテナ装置に，異なる方向から到来する電波を受信可能なように，他のアンテナ装置を容易に取り付け可能なアンテナ装置に関する。
【背景技術】
【０００２】
従来のテレビ受信用のアンテナ装置には，ＶＨＦアンテナ，ＵＨＦアンテナがある。ところで係るアンテナを用いて，ＶＨＦ帯域及びＵＨＦ帯域を受信しようとする場合，夫々異なる方向から電波が到来する地域においても，ＶＨＦとＵＨＦの電波が同じ方向から到来する地域においても，ＶＨＦアンテナとＵＨＦアンテナを設置して夫々の受信出力を混合器やテレビ受信用増幅装置等で持って混合してから宅内に引き込まれていた。
このうち，ＶＨＦとＵＨＦの電波が同じ方向から到来する場合は，取扱いの容易性からＶＵ共用型のアンテナを用いる場合がある。（例えば，特許文献１参照）
【０００３】
【特許文献１】実開昭５９−６９５１１号公報
【発明の開示】
【発明が解決しようとする課題】
【０００４】
ところが受信する地域によっては，当該地域をサービスエリアとするＶＨＦ帯域の電波とＵＨＦ帯域の電波が，同じ地域から送信されることで電波の到来の到来方向が同じであると共に，異なる方向から到来する近隣する地域のローカル局の電波も受信可能な場合がある。このとき同方向から到来するＶＨＦ帯域の電波とＵＨＦ帯域の電波は，取扱性の容易さからＶＵ共用型のテレビ受信用アンテナ装置を用いて受信するようにできるものの，他方向から到来するＵＨＦの電波は，専用の他のアンテナ装置を設置し，当該他のアンテナ装置の受信信号と前記ＶＵ共用型のテレビ受信用アンテナ装置の受信信号とを別途用意した混合器を設けることで宅内に引き込む必要があり，設置の容易性が損なわれ，延いては取り付け費用のコストが高くなるといった問題があった。
そこで本願においては，こうした問題点を解決するためになされたものであり，
その目的は，取扱性の良いテレビ受信用アンテナ装置を提供することにある。
他の目的は，異なる方向からの電波を受信するのに適したテレビ受信用アンテナ装置を提供することにある。
他の目的は，異なる方向からの電波を受信するのに，コスト削減を可能にしたテレビ受信用アンテナ装置を提供することにある。
他の目的は，ターミナルボックスを小型化したテレビ受信用アンテナ装置を提供することにある。
他の目的は，バラツキが少なく，損失の少ない高周波特性を有するテレビ受信用アンテナ装置を提供することにある。
【課題を解決するための手段】
【０００５】
上記課題を解決するために，請求項１の発明は，テレビ受信用アンテナ装置において，
当該アンテナ装置は，アーム上に放射器と反射器及び導波器等の素子を配設してなり，
前記アンテナ装置の放射器は，ＶＵ共用型の放射器で構成されており，当該放射器の給電部には，前記ＶＵ共用型放射器からの受信出力と，他のアンテナ装置からの受信信号を混合できるよう，当該他のアンテナからの受信信号を入力するための入力端子を備えた混合器を内蔵させるように構成される。
【０００６】
請求項２の発明は，前記混合器の入力端子には他のアンテナ装置が伝送ケーブルを介して配設され，前記テレビ受信用アンテナ装置と他のアンテナ装置とが同一支持体でもって支持されるように構成される。
【０００７】
請求項３の発明は，請求項１又は請求項２に記載の前記ＶＵ共用型放射器が折返しダイポールで構成される。
【０００８】
請求項４の発明は，請求項１乃至請求項３に記載の前記混合器は，テレビ受信用アンテナ装置の受信帯域である９０〜２２２ＭＨｚ及び４７０〜５４２ＭＨｚと，前記他のアンテナ装置の受信帯域である５２４〜７７０ＭＨｚとを混合するように構成される。
【０００９】
請求項５の発明は，請求項１乃至請求項４に記載の混合器は，前記テレビ受信用アンテナ装置からの受信信号を入力する接続端子と，低域通過フィルターと混合回路からなる第１の伝送経路と，前記他のアンテナ装置からの受信信号を入力する混合入力端子と高域通過フィルターと混合回路からなる第２の伝送線路と，前記第１及び第２の伝送線路を混合した信号を出力する出力端子とからなり，これらの回路はプリント基板に配設されるように構成される。
【発明の効果】
【００１０】
以上詳述したように，請求項１の発明によれば，テレビ受信用アンテナ装置において，
当該アンテナ装置は，アーム上に放射器と反射器及び導波器等の素子を配設してなり，
前記アンテナ装置の放射器は，ＶＵ共用型の放射器で構成されており，当該放射器の給電部には，前記ＶＵ共用型放射器からの受信出力と，他のアンテナ装置からの受信信号を混合できるよう，当該他のアンテナからの受信信号を入力するための入力端子を備えた混合器を内蔵させるように構成したので，同一方向から到来する電波を受信している地域において，異なる方向から到来する電波をも合わせて受信しようとする場合，容易に且つ安価に他のアンテナ装置を増設可能なテレビ受信用アンテナ装置を提供することができる。
【００１１】
請求項２の発明によれば，前記混合器の入力端子には他のアンテナ装置が伝送ケーブルを介して配設され，前記テレビ受信用アンテナ装置と他のアンテナ装置とが同一支持体でもって支持するように構成したので。夫々のアンテナが任意の方向に回転自在に固着されることによって，異なる方向からくる電波を簡単な構成でもって受信可能なテレビ受信用アンテナ装置を提供できるのである。
【００１２】
請求項３の発明によれば，請求項１又は請求項２に記載の前記ＶＵ共用型放射器が折返しダイポールで構成したので，簡単な構成で広帯域なＶＵ共用型のテレビ受信用アンテナ装置が提供できるのである。
【００１３】
請求項４の発明によれば，請求項１乃至請求項３に記載の前記混合器は，テレビ受信用アンテナ装置の受信帯域である９０〜２２２ＭＨｚ及び４７０〜５４２ＭＨｚと，前記他のアンテナ装置の受信帯域である５２４〜７７０ＭＨｚとを混合するように構成したので，例えば同一方向から到来する電波であって，ＶＨＦ局及びＵＨＦ局のｃｈ１９の他に，地上波デジタル放送の開始によって新たに設けられた広域放送用のｃｈ２４が放送されても１つのアンテナ装置で受信可能であり，更に異なる方向から到来するＵＨＦ局のｃｈ３６を受信するために他のアンテナ装置を設置すれるだけで容易に受信可能になるのである。更に異なる方向の基地局から地上波デジタル放送の開始によって新たに設けられた県域放送用のｃｈ２２やｃｈ２６もこの他のアンテナ装置によって容易に受信可能となるのである。即ち，より簡単な構成でもって，異なる方向から到来する電波を受信できると共に，新たに開始される地上波デジタル放送の新しいチャンネルの高域放送用のチャンネルも県域放送用のチャンネルも余分な受信用機材を新たに増設することなく対応可能なアンテナ装置が提供できるのである。
【００１４】
請求項５の発明によれば，請求項１乃至請求項４に記載の前記混合器は，前記テレビ受信用アンテナ装置からの受信信号を入力する接続端子と，低域通過フィルターと混合回路からなる第１の伝送経路と，前記他のアンテナ装置からの受信信号を入力する混合入力端子と，高域通過フィルターと混合回路からなる第２の伝送線路と，前記第１及び第２の伝送線路を混合した信号を出力する出力端子とからなり，これらの回路はプリント基板に配設されて構成されているので，バラツキの少なく，損失の少ない安定した高周波特性を有するテレビ受信用アンテナ装置が提供できるのである。
【発明を実施するための最良の形態】
【００１５】
以下に，本発明を具体化した実施形態の例を，図面を基に詳細に説明する。
図１は本発明に係るテレビ受信用アンテナ装置の斜視図を示す。図２は本発明に係る混合器の実施例を示すブロック図である。図３は本発明のテレビ受信用アンテナ装置の給電部の開閉状態を示す平面図である。
【実施例１】
【００１６】
１は同一方向から到来するＶＨＦ帯域の電波とＵＨＦ帯域の電波とを受信するためのテレビ受信用アンテナ装置であり，２は他のアンテナ装置として表記された，前記ＶＨＦ及びＵＨＦ電波とは異なる方向から到来する電波を受信するためのアンテナである。
テレビ受信用アンテナ装置１はＶＵ共用型の広帯域アンテナ装置であり，本願の実施例では，同一方向から到来する電波であって，例えばＶＨＦ帯においては９０〜２２２ＭＨｚを受信すると共に，ＵＨＦ帯においては４７０〜５４２ＭＨｚを１つのダイポールアンテナで受信することができるように構成されたＶＵ共用型のテレビ受信用アンテナ装置である。
【００１７】
このテレビ受信用アンテナ装置１は図１のように，導波器４・５，放射器６，反射器７・  ８がアーム３に配列されている。
導波器４はＵＨＦ用であり，導波器５はトラップを付加したＶＨＦ用の導波器である。放射器６はＶＵ共用型の折返しダイポールアンテナ１０とトラップコイル１１を４つ備えてなり，上述の示す周波数帯域を効率よく受信できる構成となっている。この折返しダイポールアンテナ１０は給電部１２に取り付けられている。この給電部１２は合成樹脂材料を用いて金型成型された防水構造をしており，この給電部１２の内部空間には，前記折返しダイポールアンテナつまりは放射器６の受信出力を受け入れる整合回路２０を介して，当該受信信号を出力端子３１に送り出すためのプリント基板２１が収納されている。
【００１８】
このプリント基板２１には，前記整合回路との接続端子２２と，当該接続端子２２からの信号を出力して，宅内等への引き込みようの同軸ケーブル４１を接続するための出力端子３１が設けられている。更にこのプリント基板２１には，他のアンテナ装置２の出力端子からの伝送ケーブル４０が接続される混合入力端子３２が備えられており，このプリント基板２１は他のアンテナ装置２からの受信出力を受け入れる混合器としても構成されて給電部１２に収納されている。尚，本願の実施例においては，前記伝送ケーブルは７５Ωの同軸ケーブルを用いているが，２００Ωフィーダーでも良く，これに対応して混合入力端子３２は７５Ω若しくは２００Ω，７５／２００Ω両用でも良い。
【００１９】
ここで混合器２１の構成の一例を図２に基づいて説明する。ＶＵ共用型の折返しダイポール１０の受信出力を受け入れる整合回路２０からの受信信号は，前記混合器（言い換えればプリント基板）２１に形成された接続端子２２に入力され，入力された受信信号はローパスフィルター２３を介して混合回路２４に入力されてから出力端子３１に出力される。次に他のアンテナ装置２からの受信信号は，同軸ケーブル４０から混合入力端子３２に入力され，プリント基板２１上にプリントパターンでもって形成された整合回路２５によって受け入れられ，入力された受信信号はハイパスフィルター２６を介して混合回路２４に入力され，前記ＶＵ共用型のテレビ受信用アンテナ装置１の受信信号と混合されてから出力端子３１に出力されるように構成されている。ここで他のアンテナ装置２は前記ＶＵ共用型のテレビ受信用アンテナ装置１が受信する電波の到来方向が異なる電波を受信するものであり，例えばＵＨＦアンテナ等が取り付けられ，これらのアンテナ装置１・２は，同一支持体であるアンテナマスト４２等に配設され，夫々電波到来方向に向けて任意に方向調整自在となっている。
本願の発明におけるテレビ受信用アンテナ装置の具体的な受信例について説明する。ＶＵ共用型のテレビ受信用アンテナ装置１が受信する電波は，例えば同一送信点から送信されるＶＨＦ帯域である９０〜２２２ＭＨｚ及びＵＨＦ帯域である４７０〜５４２ＭＨｚであり，他の方向からの電波を受信するアンテナ装置２はＵＨＦ帯域の５２４〜７７０ＭＨｚである。
【００２０】
このように本願の発明は，ＶＵ共用型のテレビ受信用アンテナ装置１と，当該アンテナ装置１の放射器６の給電部１２に収納した混合器２１と，当該混合器２１に備えさせた他のアンテナ装置２からの受信信号を入力する混合入力端子３２と，当該混合入力端子３２に伝送ケーブル４０を介して接続され，前記テレビ受信用アンテナ装置１が受信する周波数帯域より高い周波数帯域を受信する他のアンテナ装置２とから構成されており，前記テレビ受信用アンテナ装置１と前記他のアンテナ装置２とは同一の支持体４２で支持され，夫々任意の方向に回転自在に配設されており，更に前記混合器２１はテレビ受信用アンテナ装置１が受信する周波数帯域の高域側と，前記他のアンテナ装置２が受信する周波数帯域の低域側とが相互に重なるように（本願の実施例においては５２４〜５４２ＭＨｚの範囲。）構成されており，例えば同一方向から到来する電波であって，ＶＨＦ局及びＵＨＦ局のｃｈ１９の他に，地上波デジタル放送の開始によって新たに設けられた広域放送用のｃｈ２４が放送されても１つのアンテナ装置１で受信可能であり，更に異なる方向から到来するＵＨＦ局のｃｈ３６を受信するために他のアンテナ装置２を設置すれるだけで容易に受信可能になるのである。更にこのｃｈ３６と同方向の基地局から送信される地上波デジタル放送の開始によって新たに設けられた県域放送用のｃｈ２２やｃｈ２６もこの他のアンテナ装置２によって容易に受信可能となるのである。即ち，より簡単な構成でもって，異なる方向から到来する電波を受信できると共に，新たに開始される地上波デジタル放送の新しいチャンネルの高域放送用のチャンネルも県域放送用のチャンネルも余分な受信用機材を新たに増設することなく対応可能なアンテナ装置が提供できるのである。
【００２１】
尚，本発明は上記実施例の形態に限定されるものではなく，本発明の趣旨を逸脱しない範囲で各部の構成や組み合わせを適宜に変更して実施することも可能である。
【図面の簡単な説明】
【００２２】
以下に，本発明を具体化した実施形態の例を，図面を基に詳細に説明する。
【図１】本発明に係るテレビ受信用アンテナ装置の斜視図を示す。
【図２】本発明に係る混合器の実施例を示すブロック図である。
【図３】本発明のテレビ受信用アンテナ装置の給電部の開閉状態を示す平面図である。
【符号の説明】
【００２３】
１…テレビ受信用アンテナ装置，２…他のアンテナ装置，３…アーム，４…導波器，５…導波器，６…放射器，７…反射器，８…反射器，１０…折返しダイポールアンテナ，１１…トラップコイル，１２…給電部，２０…整合回路，２１…プリント基板（混合器），２２…接続端子，２３…ローパスフィルター，２３…混合回路，２５…整合回路，２６…ハイパスフィルター，３１…出力端子，３２…混合入力端子。
【図１】
2005130117.tif 000003
【図２】
2005130117.tif 000004
【図３】
2005130117.tif 000005